(57)【要約】【課題】周波数変換装置における周波数特性の簡易な調整を行えるようにする。【解決手段】周波数変換装置（１）は、ミキサ（１０）、アクティブフィルタ（２０）、及びポストアンプ（３０）を有する。アクティブフィルタ（２０）は、周波数特性を変更するための第１の可変抵抗（Ｒ１）を有し、ミキサ（１０）の電流出力信号（Ｉ１）に対して電流−電圧変換を行うともに、第１の可変抵抗（Ｒ１）によって規定される周波数特性に従ってフィルタリングを行う。ポストアンプ（３０）は、電圧利得を変更するための第２の可変抵抗（Ｒ３）を有し、第２の可変抵抗（Ｒ３）によって規定される電圧利得に従ってアクティブフィルタ（２０）の電圧出力信号（Ｖ２）を増幅する。さらに、第２の可変抵抗（Ｒ３）は、第１の可変抵抗（Ｒ１）の抵抗値の調整に連動してその抵抗値が調整できるよう構成されている。【選択図】図２
2013255089.tif 000002
【特許請求の範囲】
【請求項１】
電流出力型のミキサ回路と、
周波数特性を変更するための第１の可変抵抗を有し、前記ミキサ回路により生成される電流出力信号に対して電流−電圧変換を行うともに、前記周波数特性に従ってフィルタリングを行うアクティブフィルタと、
電圧利得を変更するための第２の可変抵抗を有し、前記アクティブフィルタにより生成される電圧出力信号を前記電圧利得に従って増幅するポストアンプと、
を備え、
前記第２の可変抵抗は、前記第１の可変抵抗の抵抗値の調整に連動して前記第２の可変抵抗の抵抗値が調整できるよう構成されている、
周波数変換装置。
【請求項２】
前記第１及び第２の可変抵抗は、前記第１の可変抵抗の抵抗値の増減率と前記第２の可変抵抗の抵抗値の増減率とが実質的に同一となるように調整される、請求項１に記載の周波数変換装置。
【請求項３】
前記第１及び第２の可変抵抗は、前記第１の可変抵抗の抵抗値と前記第２の可変抵抗の抵抗値の比率が実質的に維持されるように調整される、請求項１又は２のいずれか１項に記載の周波数変換装置。
【請求項４】
前記第２の可変抵抗は、前記第１の可変抵抗の抵抗値の変更に起因する前記アクティブフィルタの利得変化を前記ポストアンプの前記電圧利得の変化によってキャンセルするように調整される、請求項１〜３のいずれか１項に記載の周波数変換装置。
【請求項５】
前記第１及び第２の可変抵抗を連動して調整するための制御信号を前記アクティブフィルタ及び前記ポストアンプに供給するコントローラをさらに備える、請求項１〜４のいずれか１項に記載の周波数変換装置。
【請求項６】
前記アクティブフィルタは、第１のオペアンプをさらに備え、
前記第１の可変抵抗は、前記第１オペアンプの帰還経路に配置される、
請求項１〜５のいずれか１項に記載の周波数変換装置。
【請求項７】
前記ポストアンプは、第２のオペアンプをさらに備え、
前記第２可変抵抗は、前記オペアンプの入力端に配置される、
請求項１〜６のいずれか１項に記載の周波数変換装置。
【請求項８】
前記ポストアンプは、前記第２のオペアンプの帰還経路に配置され、前記第１及び第２の可変抵抗とは独立に調整される第３の可変抵抗をさらに備える、請求項７に記載の周波数変換装置。
【請求項９】
請求項１〜８のいずれか１項に記載の周波数変換装置と、
前記ポストアンプの出力信号が入力される復調回路と、
を備える、受信装置。
【請求項１０】
前記復調回路は、
前記ポストアンプの出力信号をサンプリングするＡ／Ｄコンバータと、
前記サンプリングにより得られるデジタル信号に対して信号処理を行うプロセッサと、
を備える、請求項９に記載の受信装置。
【請求項１１】
周波数変換装置の制御方法であって、
前記周波数変換装置は、
電流出力型のミキサ回路と、
周波数特性を変更するための第１の可変抵抗を有し、前記ミキサ回路により生成される電流出力信号に対して電流−電圧変換を行うともに、前記周波数特性に従ってフィルタリングを行うアクティブフィルタと、
電圧利得を変更するための第２の可変抵抗を有し、前記アクティブフィルタにより生成される電圧出力信号を前記電圧利得に従って増幅するポストアンプと、
を備え、
前記制御方法は、前記第１の可変抵抗の抵抗値と前記第２の可変抵抗の抵抗値とを連動して調整することを備える、
制御方法。
【請求項１２】
前記連動して調整することは、前記第１の可変抵抗の抵抗値の増減率と前記第２の可変抵抗の抵抗値の増減率とが実質的に同一となるように調整することを含む、請求項１１に記載の方法。
【請求項１３】
前記連動して調整することは、前記第１の可変抵抗の抵抗値と前記第２の可変抵抗の抵抗値の比率が実質的に維持されるように調整することを含む、請求項１１又は１２に記載の方法。
【請求項１４】
前記連動して調整することは、前記第１の可変抵抗の抵抗値の変更に起因する前記アクティブフィルタの利得変化を前記ポストアンプの前記電圧利得の変化によってキャンセルするように前記第２の可変抵抗を調整することを含む、請求項１１〜１３のいずれか１項に記載の方法。
【請求項１５】
請求項１１〜１４のいずれか１項に記載の制御方法をコンピュータに行わせるためのプログラム。
【発明の詳細な説明】
【技術分野】
【０００１】
本発明は、受信装置において使用される周波数変換装置に関する。
【背景技術】
【０００２】
特許文献１は、受信装置において使用可能な様々な周波数変換装置（i.e. ダウンコンバータ）の構成を開示している。特許文献１に開示されるダウンコンバータの１つは、電流出力型のダウンコンバージョン・ミキサと、電流入力型（電流−電圧変換型）のアクティブフィルタと、ポストアンプを含む。アクティブフィルタは、オペアンプを有し、ダウンコンバージョン・ミキサから供給される電流出力信号を電圧信号に変換するとともに、所望のチャネル（周波数）を選択するためのフィルタリングを行う。アクティブフィルタは、一般的に、チャネル選択フィルタ又は周波数選択フィルタと呼ばれ、ローパス特性又はバンドパス特性を有する。ポストアンプは、アクティブフィルタの出力電圧信号を増幅し、ＩＦ（Intermediate Frequency）信号（又はベースバンド信号）を出力する。
【０００３】
また、特許文献１は、アクティブフィルタの周波数特性の変更について開示している（例えば、特許文献１の図８を参照）。具体的には、特許文献１は、アクティブフィルタが有するオペアンプの帰還経路に配置された可変キャパシタの容量値を変更することによって、アクティブフィルタの周波数特性を変更することを開示している。さらに、特許文献１は、素子ばらつきの補償を可能とするために、アクティブフィルタ及びポストアンプ内の抵抗素子として可変抵抗を使用することを開示している（例えば、特許文献１の図１２を参照）。
【先行技術文献】
【特許文献】
【０００４】
【特許文献１】特開２０００−１０１３５３号公報
【発明の概要】
【発明が解決しようとする課題】
【０００５】
特許文献１は、アクティブフィルタ及びポストアンプが有する各抵抗及び各キャパシタとして可変抵抗および可変キャパシタを使用することしか開示していない。つまり、これらの可変素子を調整するための具体的な構成、及び調整手順については何ら開示していない。したがって、特許文献１のダウンコンバータは、例えば、アクティブフィルタの周波数特性の変更を行うために、煩雑な調整手順を必要とするという問題がある。
【０００６】
具体的に述べると、特許文献１に開示されたダウンコンバータにおいて、アクティブフィルタの周波数特性（e.g. カットオフ周波数）の変更のために１つの素子（e.g. アクティブフィルタ内の抵抗）を調整することは、周波数特性だけでなく電圧利得の変動をも引き起こすおそれがある。この場合、ダウンコンバータの出力信号（i.e. ＩＦ信号又はベースバンド信号）の電圧レベルを所望のレベルに近づけるために、更に他の素子（e.g. ポストアンプ内の抵抗）を個別に調整することが必要となる。
【課題を解決するための手段】
【０００７】
本発明の第１の態様は、周波数変換装置を含む。当該周波数変換装置は、電流出力型のミキサ回路、アクティブフィルタ、及びポストアンプを有する。前記アクティブフィルタは、周波数特性を変更するための第１の可変抵抗を有し、前記ミキサ回路により生成される電流出力信号に対して電流−電圧変換を行うともに、前記周波数特性に従ってフィルタリングを行う。前記ポストアンプは、電圧利得を変更するための第２の可変抵抗を有し、前記アクティブフィルタにより生成される電圧出力信号を前記電圧利得に従って増幅する。さらに、前記第２の可変抵抗は、前記第１の可変抵抗の抵抗値の調整に連動して前記第２の可変抵抗の抵抗値が調整できるよう構成されている。
【０００８】
本発明の第２の態様は、受信装置を含む。当該受信装置は、上述した第１の態様に係る周波数変換装置と、前記ポストアンプの出力信号をサンプリングすることにより得られるデジタル信号に対してデジタル信号処理を行うプロセッサとを有する。
【０００９】
上述した本発明の各態様では、前記第１の可変抵抗の抵抗値の調整に連動して前記第２の可変抵抗の抵抗値が調整される。つまり、上述した本発明の各態様は、前記第１及び第２の可変抵抗を個別に調整する必要がないため、相対的に簡易な手順によって調整を完了することができる。なお、前記第１及び第２の可変抵抗の調整をどのように連動させるかは、前記周波数変換装置の全体による電圧利得に対する前記アクティブフィルタ及び前記ポストアンプの寄与を考慮して適宜決定すればよい。前記第１及び第２の可変抵抗の連動された調整に関する具体例は、以下に述べる発明の実施の形態において明らかにされる。
【発明の効果】
【００１０】
上述した本発明の各態様によれば、周波数変換装置における周波数特性の簡易な調整を行うことができる。
【図面の簡単な説明】
【００１１】
【図１】本発明の実施の形態１に係る受信装置の構成例を示すブロック図である。
【図２】本発明の実施の形態１に係るダウンコンバータの構成例を示す回路図である。
【図３】ダウンコンバージョン・ミキサの構成例を示す回路図である。
【図４】本発明の実施の形態１に係るダウンコンバータが有する複数の可変抵抗の調整手順の一例を示すフローチャートである。
【図５】本発明の実施の形態２に係るダウンコンバータの構成例を示す。
【発明を実施するための形態】
【００１２】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００１３】
＜発明の実施の形態１＞
図１は、本実施の形態にかかる受信装置１００の構成例を示すブロック図である。なお、図１は、一例としてヘテロダイン受信機アーキテクチャを示している。しかしながら、このような特定の受信機アーキテクチャに関する説明は、本発明の範囲を限定する目的ではなく、本発明に関する理解を容易にする目的で行われるものである。つまり、当業者は、以下に具体的に説明される実施の形態から把握される原理及び思想を、様々な方式の受信機に適用できる。例えば、受信装置１００はダイレクトコンバージョン（ホモダイン）受信機であってもよい。
【００１４】
受信フロントエンド１１０は、アンテナ１０１による受信ＲＦ（Radio Frequency）信号に対して増幅及び周波数ダウンコンバージョンを行うことにより、受信ＩＦ信号を生成する。ＡＤＣ１０５は、受信ＩＦ信号をサンプリングし、デジタルＩＦ信号をＤＳＰ（Digital Signal Processor）１０６に供給する。ＤＳＰ１０６は、デジタルＩＦ信号に対する信号処理（e.g. 復調、デインタリービング、伝導路復号化など）を行う。
【００１５】
図１の例では、フロントエンド１１０は、バンド選択フィルタ１０２、低雑音アンプ（Low Noise Amplifier（ＬＮＡ））１０３、イメージ除去フィルタ１０４、及びダウンコンバータ１を有する。バンド選択フィルタ１０２は、アンテナ１０１による受信信号の中から希望のＲＦ信号が含まれる帯域を選択するためのバンドパスフィルタである。ＬＮＡ１０３は、受信ＲＦ信号を増幅する。イメージ除去フィルタ１０４は、イメージ信号を除去するためのバンドパスフィルタである。ダウンコンバータ１は、受信ＲＦ信号ＶＲＦをダウンコンバージョンし、受信ＩＦ信号ＶＩＦを生成する。
【００１６】
なお、既に述べた通り、図１の構成例は一例に過ぎない。例えば、受信装置１００がダイレクトコンバージョン受信機である場合、イメージ除去フィルタ１０４は省略されてもよい。また、受信装置１００がヘテロダイン受信機であっても、イメージ除去フィルタ１０４は省略することができる。この場合、例えば、後述するアクティブフィルタ２０として、イメージ信号を選択的に減衰させることが可能な複素バンドパスフィルタを用いればよい。また、フロントエンド１１０又はＤＳＰ１０６において、ハートレー方式又はウィーバー方式によるイメージ除去を行うようにしてもよい。
【００１７】
続いて以下では、本実施の形態に係るダウンコンバータ１の構成について説明する。図１に示すように、ダウンコンバータ１は、ダウンコンバージョン・ミキサ１０、アクティブフィルタ２０、及びポストアンプ３０を有する。
【００１８】
ダウンコンバージョン・ミキサ１０は、電流出力型のミキサである。ミキサ１０は、受信ＲＦ信号ＶＲＦとローカル発振信号ＶＬＯをミキシングすることによって周波数ダウンコンバージョンを行い、電流出力信号Ｉ１を生成する。ミキサ１０は、典型的にはアクティブミキサである。
【００１９】
アクティブフィルタ２０は、ミキサ１０により生成される電流出力信号Ｉ１に対して電流−電圧変換とフィルタリングを行い、電圧出力信号Ｖ２を生成する。フィルタ２０によるフィルタリングは、例えば、希望波の選択（チャネル選択）、及びイメージ信号除去のうち少なくとも１つを含む。フィルタ２０は、例えば、ローパスフィルタ、バンドパスフィルタ、又は複素バンドパスフィルタである。さらに、アクティブフィルタ２０は、その周波数特性（フィルタリング特性）、例えばカットオフ周波数、を変更可能に構成されている。具体的には、フィルタ２０は、そのフィルタリングの周波数特性を変更するための第１の可変抵抗を有する。
【００２０】
ポストアンプ３０は、アクティブフィルタ２０により生成される電圧出力信号Ｖ２を増幅する。ポストアンプ３０の出力信号は、受信ＩＦ信号ＶＩＦとしてＡＤＣ１０５及びＤＳＰ１０６に供給される。なお、受信装置１００がダイレクトコンバージョン受信機である場合、ポストアンプ３０の出力信号は、受信ベースバンド信号ＶＢＢとしてＡＤＣ１０５及びＤＳＰ１０６に供給される。
【００２１】
さらに、ポストアンプ３０は、その電圧利得を変更可能に構成されている。具体的には、ポストアンプ３０は、その電圧利得を変更するための第２の可変抵抗を有する。ポストアンプ３０の第２の可変抵抗は、アクティブフィルタ２０の第１の可変抵抗の抵抗値の調整に連動してその抵抗値が調整できるよう構成されている。言い換えると、第１及び第２の可変抵抗の調整は、相互に関連付けて行われる。具体的に述べると、アンプ３０の第２の可変抵抗は、フィルタ２０の第１の可変抵抗の抵抗値の変更に起因するフィルタ２０の利得変化をアンプ３０の電圧利得の変化によってキャンセルするように調整されるとよい。
【００２２】
コントローラ４０は、フィルタ２０の第１の可変抵抗及びアンプ３０の第２の可変抵抗を連動して調整するための制御信号ＳＣ１をフィルタ２０及びアンプ３０に供給する。コントローラ４０は、例えば、受信装置１００による受信チャネル（受信周波数）の変更に応じて、第１及び第２の可変抵抗の調整を行えばよい。また、コントローラ４０は、ダウンコンバータ１内の素子ばらつきに起因する周波数特性のずれを補正するために、第１及び第２の可変抵抗の調整を行なってもよい。この場合、コントローラ４０による第１及び第２の可変抵抗の調整（i.e. 制御信号ＳＣ１の値）は、受信装置１の製造工程において設定されてもよい。
【００２３】
続いて以下では、図２〜４を用いて、ダウンコンバータ１の構成の具体例、並びに第１及び第２の可変抵抗の調整に関する具体例について説明する。図２は、ダウンコンバータ１の構成例を示す回路図である。
【００２４】
図２に示すダウンコンバージョン・ミキサ１０は、ミキシング部（スイッチング部）１２、並びに電流源１３及び１４を有し、受信ＲＦ信号ＶＲＦをＩＦ帯域にダウンコンバートし、電流出力信号Ｉ１を出力する。図２の例では、ＶＲＦは単相信号となっているが、ＶＲＦは差動信号（平衡信号）であってもよい。これとは反対に、電流出力信号Ｉ１が単相信号であってもよい。
【００２５】
図３（ａ）及び（ｂ）は、アクティブミキサとしてのミキサ１０のより具体的な構成例を示している。つまり、図３（ａ）及び（ｂ）は、シングルバランスミキサとしてのミキサ１０の構成例を示している。トランスコンダクタンス部１１は、ＲＦ帯域で動作し、受信ＲＦ信号ＶＲＦを電流信号に変換する。図３（ｂ）の構成例では、トランスコンダクタンス１１は、ＮチャネルＭＯＳ（Metal Oxide Semiconductor）トランジスタＭ１を有し、ＶＲＦによってＭ１のドレイン電流を変化させる。
【００２６】
図３（ａ）及び（ｂ）のミキシング部（スイッチング部）１２は、一対のＮチャネルＭＯＳトランジスタＭ２及びＭ３を有する。差動対Ｍ２及びＭ３は、ＶＬＯにより動作するスイッチングペアとして機能し、Ｍ１のドレイン電流を出力ノードＮ１及びＮ２に交互に供給する。
【００２７】
なお、図３（ａ）及び（ｂ）の構成例は一例に過ぎない。例えば、ミキサ１０は、ギルバートセル型のダブルバランスミキサであってもよい。
【００２８】
図２に戻って説明を続ける。図２のアクティブフィルタ２０は、ＬＰＦ（Low Pass Filter）構成を有する。図２のフィルタ２０は、オペアンプ２１を有する。オペアンプ２１は、反転出力端と非反転入力端の間の負帰還経路に並列に配置された抵抗Ｒ１及びキャパシタＣ１を有する。また、オペアンプ２１は、非反転出力端と反転入力端の間の負帰還経路に並列に配置された抵抗Ｒ２及びキャパシタＣ２を有する。抵抗Ｒ１及びＲ２は、可変抵抗であり、上述した第１の抵抗に相当する。図２のフィルタ２０の周波数特性（フィルタリング特性）は、抵抗Ｒ１及びＲ２の抵抗値、並びにキャパシタＣ１及びＣ２の静電容量値により決定される。また、図２のフィルタ２０による電圧利得は、抵抗Ｒ１及びＲ２の抵抗値とミキサのｇｍにより決定される。
【００２９】
図２のポストアンプ３０は、オペアンプ３１を有する。オペアンプ３１の非反転入力端及び反転出力端とフィルタ２０のオペアンプ２１の間には、抵抗Ｒ３及びＲ４がそれぞれ直列に配置されている。さらに、オペアンプ３１は、２つの負帰還経路にそれぞれ配置された抵抗Ｒ５及びＲ６を有する。抵抗Ｒ３及びＲ４は、可変抵抗であり、上述した第２の抵抗に相当する。図２のアンプ３０による電圧利得は、抵抗Ｒ３及びＲ４の抵抗値と抵抗Ｒ５及びＲ６の抵抗値の比により決定される。
【００３０】
図２の構成例におけるミキサ１０の入力端からフィルタ２０の出力端までのフィルタ２０の通過帯域における電圧利得ＶＧ１は、以下の式（１）により表される。また、アンプ３０のフィルタ２０の通過帯域における電圧利得ＶＧ２は、以下の式（２）により表される。したがって、ミキサ１０の入力端からアンプ３０の出力端までの電圧利得ＶＧ３は、以下の式（３）により表される。式（１）〜（３）において、ｇｍ１はミキサ１０のトランスコンダクタンスであり、Ｒ１、Ｒ３、Ｒ５は可変抵抗Ｒ１、Ｒ３、Ｒ５の抵抗値である。
ＶＧ１＝ｇｍ１・Ｒ１  ・・・（１）
ＶＧ２＝Ｒ５／Ｒ３  ・・・（２）
ＶＧ３＝ｇｍ１・Ｒ１・Ｒ５／Ｒ３  ・・・（３）
【００３１】
既に述べたように、フィルタ２０の周波数特性を変更するために第１の抵抗（i.e.Ｒ１及びＲ２）を調整すると、電圧利得ＶＧ３が変化し得る。しかしながら、本実施の形態では、コントローラ４０は、第１の抵抗（i.e.Ｒ１及びＲ２）の調整と連動して第２の抵抗（i.e. Ｒ３及びＲ４）を調整する。具体的には、第２の可変抵抗（i.e. Ｒ３及びＲ４）は、フィルタ２０の第１の可変抵抗（i.e.Ｒ１及びＲ２）の抵抗値の変更に起因するフィルタ２０の利得変化をアンプ３０の電圧利得の変化によってキャンセルするように調整される。
【００３２】
式（３）から理解されるように、コントローラ４０は、利得ＶＧ３を実質的に一定に保つために、可変抵抗Ｒ１及びＲ３の抵抗値の比率（Ｒ１／Ｒ３）が実質的に変化しないように、可変抵抗Ｒ１及びＲ３を連動して調整すればよい。言い換えると、コントローラ４０は、可変抵抗Ｒ１の抵抗値の増減率と可変抵抗Ｒ３の抵抗値の増減率とが実質的に同一となるように調整すればよい。なお、「実質的に一定」における「実質的」とは厳密に一定であることまで要求されないことを意味している。つまり、許容される誤差、又は許容されるダイナミックレンジとの関係において、利得ＶＧ３は変化してもよい。「実質的に変化しない」及び「実質的に同一」における「実質的」についても同様である。
【００３３】
図４は、コントローラ４０による抵抗Ｒ１〜Ｒ４の調整手順の具体例を示すフローチャートである。ステップＳ１０１では、コントローラ４０は、周波数特性の調整量を取得する。コントローラ４０は、予め定められた変更条件の成立、又は受信装置１０に対するユーザ操作などに応じて周波数特性の変更の要否を自立的に判定し、周波数特性の調整量を自立的に決定してもよい。この場合、コントローラ４０は、周波数特性の調整量を計算により求めてもよいし、メモリ（不図示）に予め保持されている調整量を読み出すことにより取得してもよい。また、コントローラ４０は、外部からの指示に従って周波数特性の変更を行なってもよい。この場合、コントローラ４０は、周波数特性の調整量を外部から受け取ってもよい。
【００３４】
ステップＳ１０２では、コントローラ４０は、フィルタ２０の抵抗Ｒ１とアンプ３０の抵抗Ｒ３を関連付けて調整する。図２のフィルタ２０及びアンプ３０は差動構成を有するため、コントローラ４０は、抵抗Ｒ１及びＲ３と同様に、抵抗Ｒ２及びＲ４を関連付けて調整する。上述したように、図２の構成例に関して述べると、コントローラ４０は、抵抗値の比率Ｒ１／Ｒ３及びＲ２／Ｒ４の大きさが実質的に維持されるように調整すればよい。
【００３５】
上述したように、本実施の形態のダウンコンバータ１は、電流出力型のダウンコンバージョン・ミキサ１０と、電流入力型（電流−電圧変換型）のアクティブフィルタ２０を用いている。したがって、本実施の形態のダウンコンバータ１及びこれを有する受信装置１００は、特許文献１に開示されたダウンコンバージョン・ミキサと同様に、大きな妨害信号（e.g. 隣接チャネル信号)の入力があっても、相互変調歪を抑制しながら、所望信号（希望波）を増幅することができる。
【００３６】
さらに、上述したように、本実施の形態では、アクティブフィルタ２０の周波数特性を変更するための第１の可変抵抗Ｒ１（Ｒ２）の調整に連動して、ポストアンプ３０の電圧利得を変更するための第２の可変抵抗Ｒ３（Ｒ４）の抵抗値が調整される。つまり、本実施の形態のダウンコンバータ１及びこれを有する受信装置１００は、可変抵抗Ｒ１及びＲ３（Ｒ２及びＲ４）を個別に調整する必要がないため、相対的に簡易な手順（例えば図４）によって調整を完了することができる。
【００３７】
ダウンコンバータが有するアクティブフィルタの周波数特性の精度向上、及び周波数ドリフトの抑制などのために、製造工程における事前の補正又は受信装置１００自身による自立的な補正が要求される傾向にある。このような補正処理は、製造工程における工数の増加、及び制御の複雑化などを招く。しかしながら、本実施の形態では、アクティブフィルタ２０の周波数特性を変更するための第１の可変抵抗Ｒ１（Ｒ２）とポストアンプ３０の電圧利得を変更するための第２の可変抵抗Ｒ３（Ｒ４）の抵抗値を関連付けて調整する。このため、製造工程における工数の増加、及び制御の複雑化を抑えることができる。
【００３８】
また、本実施の形態では、可変抵抗を用いてアクティブフィルタ２０の周波数特性の変更を行うため、可変キャパシタを用いる場合に比べてチップ面積の増大を抑えることができる利点がある。一般的に、可変キャパシタは、可変抵抗に比べてチップ面積が大きくなる傾向があるためである。
【００３９】
ところで、上述したコントローラ４０による第１及び第２の抵抗の調整手順（例えば図４）は、ASIC（Application Specific Integrated Circuit）、DSP（Digital Signal Processor）などを含む半導体処理装置を用いて実装されてもよい。また、この調整手順は、マイクロプロセッサ等のコンピュータにプログラムを実行させることによって実装されてもよい。
【００４０】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４１】
＜発明の実施の形態２＞
本実施の形態では、上述したダウンコンバータ１の変形例について説明する。図５は、本実施の形態に係るダウンコンバータ２の構成例を示す回路図である。図５の構成例は、ポストアンプ３０の負帰還経路に配置された抵抗Ｒ５及びＲ６が可変抵抗とされている点において図２の構成例と相違する。抵抗Ｒ５及びＲ６は、第１及び第２の可変抵抗（Ｒ１〜Ｒ４）とは独立に調整できるよう構成されている。コントローラ４１は、抵抗Ｒ５及びＲ６の抵抗値を調整するための制御信号ＳＣ２をポストアンプ３０に供給する。
【００４２】
上述した式（３）から理解されるように、ダウンコンバータ２は、抵抗Ｒ１〜Ｒ４とは独立に抵抗Ｒ５及びＲ６を調整可能とすることによって、フィルタ２０の周波数特性とは無関係に任意のトータル利得ＶＧ３を設定することができる。
【００４３】
さらに、本発明は上述した実施の形態のみに限定されるものではなく、既に述べた本発明の要旨を逸脱しない範囲において種々の変更が可能であることは勿論である。
【符号の説明】
【００４４】
１、２  ダウンコンバータ（周波数変換回路）
１０  ダウンコンバージョン・ミキサ
１１  トランスコンダクタンス部
１２  ミキシング部（スイッチング部）
１３、１４  電流源
２０  アクティブフィルタ
２１  オペアンプ
３０  ポストアンプ
３１  オペアンプ
４０、４１  コントローラ
１００  受信フロントエンド
１０１  アンテナ
１０２  バンド選択フィルタ
１０３  低雑音アンプ（Low Noise Amplifier（LNA））
１０４  イメージ除去フィルタ
１０５  Ａ／Ｄコンバータ
１０６  デジタル信号プロセッサ（Digital Signal Processor（DSP））
ＶＲＦ  ＲＦ（Radio Frequency）信号
ＶＬＯ  ローカル発振信号
Ｉ１  電流出力信号
Ｖ２  電圧出力信号
ＶＩＦ  ＩＦ（Intermediate Frequency）信号
ＶＢＢ  ベースバンド信号
Ｍ１〜Ｍ３  ＭＯＳトランジスタ
Ｒ１〜Ｒ６  抵抗
Ｃ１、Ｃ２  キャパシタ
ＳＣ１、ＳＣ２  制御信号
【図１】
2013255089.tif 000003
【図２】
2013255089.tif 000004
【図３】
2013255089.tif 000005
【図４】
2013255089.tif 000006
【図５】
2013255089.tif 000007